(57)【要約】【課題】多くの部品点数の増加、大型部品の利用、利用上の大きな制限を解消し得て、電源投入時の電圧変動によって意としないリセットを防止する機能を有する電力供給制御装置を提供する。【解決手段】電源投入時に生じる電圧変動がリセット動作基準値に達しないような時間間隔を予め記憶する時間間隔に従い、マイクロコンピータＩＣ２のＰｅｒｉポートから断続的な切替制御信号を出力することによって、供給回路３から周辺回路ＬＯＡＤ１に対して電力供給する。【選択図】  図１
2005086908.tif 000002
【特許請求の範囲】
【請求項１】
電源回路から発生する電圧を拠所として周辺回路に対しての電力供給を制御する電力供給制御手段と、前記電源回路から発生する電圧がリセット動作基準値に達する変動を生じた際にリセットを行うリセット手段とを備える電力供給制御装置において、前記電力供給制御手段は、電源投入時に発生する電圧変動を前記電源回路から受け、前記電圧変動が前記リセット動作基準値に達しないように、前記周辺回路に対しての電力供給の制御を断続的に行うことを特徴とする電力供給制御装置。
【請求項２】
前記電力供給制御手段は、前記電圧変動が前記リセット動作基準値に達しないような時間間隔を予め記憶する記憶手段と、前記記憶手段で予め記憶する時間間隔に従って断続的な切替制御信号を出力する断続切替信号出力手段と、前記電源回路により発生する電圧と前記断続切替信号出力手段により出力する断続的な切替制御信号とに基づいて前記周辺回路に対して電力供給する供給回路とから成ることを特徴とする請求項１記載の電力供給制御装置。
【請求項３】
前記電力供給制御手段は、前記電圧変動が前記リセット動作基準値に達する前に設定されている出力変換基準値を境として切替制御信号を変換して出力する電圧変動検出回路と、電源投入時を境として継続的な切替制御信号を変換して出力する継続切替信号出力手段と、前記電圧変動検出回路により出力された切替制御信号と前記継続切替信号出力手段により出力された継続的な切替制御信号とに基づいて切替制御信号を出力する論理回路と、前記電源回路により発生する電圧と前記論理回路により出力する切替制御信号とに基づいて周辺回路に対して電力を供給する供給回路とから成ることを特徴とする請求項１記載の電力供給制御装置。
【発明の詳細な説明】
【技術分野】
【０００１】
本発明は、電源投入時の電圧変動によって生ずる意としないリセットを防止する機能を有する電力供給制御装置に関するものである。
【背景技術】
【０００２】
計測器等の多くの機器に備えられ、電源から周辺回路（負荷）への電力供給を制御する電力供給制御装置は、周辺回路（負荷）の誤動作・暴走等の障害を回避するためのリセット手段を有している。
【０００３】
例えば、図５の回路図に示すような電力供給制御装置５１である。図５に示す回路図は、大別すると、周辺回路ＬＯＡＤ１と、この周辺回路ＬＯＡＤ１への電力供給源となる電源回路２と、この電源回路２から周辺回路ＬＯＡＤ１に電力供給するための引金となるスイッチＳ１と、このスイッチＳ１の閉操作により電源回路２から周辺回路ＬＯＡＤ１への電力供給を継続的に行うように制御する電力供給制御装置５１とから成る。そして、電力供給制御装置５１は、Ｖｄｄ部に入力された電圧が変動し閾値に達した際にＲＥＳＥＴ部からリセット信号を出力するリセット回路ＩＣ３と、このリセット回路ＩＣ３からのリセット信号をＲＥＳＥＴ部で受けてリセットの制御をし、また、スイッチＳ１の閉操作による信号を受けて、電源回路２から周辺回路ＬＯＡＤ１に電力供給するためにＰｅｒｉポートから継続的な切替制御信号Ｌレベルを出力するマイクロコンピュータＩＣ６と、このマイクロコンピュータＩＣ６のＰｅｒｉポートからの継続的な切替制御信号Ｌレベルに基づいて周辺回路ＬＯＡＤ１に電力供給を行う供給回路３（トランジスタＱ１、抵抗Ｒ１、Ｒ２）とから成る。
【０００４】
しかしながら、このような電力供給制御装置は、図６のタイミングチャート図に示すように、電源投入時に生ずる電圧変動（電圧降下）によって意としない（誤動作・暴走等の障害を回避のためでない）リセットを生ずることがあった。
【０００５】
図６に示すタイミングチャート図は、電源回路２のＶｏｕｔ部から出力する電圧の波形図（ａ）と、周辺回路ＬＯＡＤ１のＶｃｃ部に入力される電圧の波形図（ｂ）と、マイクロコンピュータＩＣ６のＰｅｒｉポートから出力する切替制御信号の波形図（ｃ）とを時間軸を対応させて示すものである。なお、ＧＬラインは、電源回路２のＶｏｕｔ部から出力すべき電圧値を示し、ＲＬラインは、電力供給制御装置５１がリセットを行うためのリセット動作基準値を示し、ＬＬラインは、周辺回路ＬＯＡＤ１が機能するための電圧値を示し、ＮＬラインは、周辺回路ＬＯＡＤ１が無電力供給状態の際の電圧値を示す。そして、このタイミングチャート図は、スイッチＳ１の閉操作により出力するマイクロコンピュータＩＣ６のＰｅｒｉポートからの継続的な切替制御信号Ｌレベルによって（波形図（ｃ））、電源回路２のＶｏｕｔ部から出力する電圧値（波形）が、電力供給制御装置５１（マイクロコンピュータＩＣ６）にリセットが働くリセット動作基準値（ＲＬライン）より一時的に下がるため（波形図（ａ））に、意としない（誤動作・暴走等の障害を回避のためでない）リセットが生ずることを示している。
【０００６】
このように、電力供給制御装置５１は、スイッチＳ１の閉操作により電源回路２から周辺回路ＬＯＡＤ１に対して電力供給する際に生じる電圧変動（電圧降下）によって、意としないリセットを生じてしまう。そこで、このような電力供給制御装置５１においては、従来、この意としないリセットを防止するために、次に揚げるような解決手段が考えられてきた。
（１）電力の供給能力の高い電源回路とする。
（２）周辺回路を細分化し、細分化された周辺回路毎に電力を供給する。
（３）特許文献１の図１及び図４に示される突入電流制限抵抗と接点との構成と同様に
、過渡期の場合にのみ制限抵抗を介して電流を流すための電力供給制限部を電源
回路２から周辺回路ＬＯＡＤ１までの電力供給ライン上に設ける。
（４）トランジスタのベース電流を制御し、周辺回路ＬＯＡＤ１へ流れ込むコレクタ電
流を制限し、電圧降下をおさえる。
【特許文献１】特開平１０−２７１６６８号公報
【発明の開示】
【発明が解決しようとする課題】
【０００７】
しかしながら、上述に揚げた（１）〜（３）の解決手段は、多くの部品点数の増加を伴なうためにコスト高となったり、大型部品を利用しなければならないために機器を小型化にするための障害となったりするという問題があった。また、上述に揚げた（４）の手段は、消費電流が大きい周辺回路に使用することができなかったり、電流変動が大きい周辺回路への使用が困難であったりするために利用上に大きな制限が発生するという問題があった。
【０００８】
そこで、本発明は、前述のような従来の問題点を解消し得るような、電源投入時の電圧変動によって意としないリセットを防止する機能を有する電力供給制御装置を提供することを目的とする。
【課題を解決するための手段】
【０００９】
本発明の電力供給制御装置は、電源回路から発生する電圧を拠所として周辺回路に対しての電力供給を制御する電力供給制御手段と、前記電源回路から発生する電圧がリセット動作基準値に達する変動を生じた際にリセットを行うリセット手段とを備える電力供給制御装置において、前記電力供給制御手段は、電源投入時に発生する電圧変動を前記電源回路から受け、前記電圧変動が前記リセット動作基準値に達しないように、前記周辺回路に対しての電力供給の制御を断続的に行うことを特徴とする。
【００１０】
また、前記電力供給制御手段は、前記電圧変動が前記リセット動作基準値に達しないような時間間隔を予め記憶する記憶手段と、前記記憶手段で予め記憶する時間間隔に従って断続的な切替制御信号を出力する断続切替信号出力手段と、前記電源回路により発生する電圧と前記断続切替信号出力手段により出力する断続的な切替制御信号とに基づいて前記周辺回路に対して電力供給する供給回路とから成ることを特徴とする。
【００１１】
また、前記電力供給制御手段は、前記電圧変動が前記リセット動作基準値に達する前に設定されている出力変換基準値を境として切替制御信号を変換して出力する電圧変動検出回路と、電源投入時を境として継続的な切替制御信号を変換して出力する継続切替信号出力手段と、前記電圧変動検出回路により出力された切替制御信号と前記継続切替信号出力手段により出力された継続的な切替制御信号とに基づいて切替制御信号を出力する論理回路と、前記電源回路により発生する電圧と前記論理回路により出力する切替制御信号とに基づいて周辺回路に対して電力を供給する供給回路とから成ることを特徴とする。
【発明の効果】
【００１２】
本発明の電力供給制御装置は、電源回路から周辺回路に電力供給をするにあたり、電源投入時に発生する電圧変動がリセット動作基準値に達しないように電力供給制御手段によって断続的に制御するために、簡易に構成でき、かつ、意としない（誤動作・暴走等の障害を回避のためでない）リセットを防止することができるという利点を有する。
【００１３】
また、特に、電力供給制御手段が、記憶手段に予め記憶する時間間隔に従って断続的な切替制御信号を断続切替信号出力手段から供給回路に出力するだけの制御であるために、特に簡易に構成でき、かつ、意としないリセットの防止を達成できるという利点を有する。
【００１４】
また、特に、電力供給制御手段が、電圧変動検出回路からの電源回路からの電源投入時に発生する電圧変動に基づく切替制御信号と継続切替信号出力手段からの継続的な切替制御信号とに従って、切替制御信号を論理回路から供給回路に出力するだけの制御であるために、特に簡易に構成でき、かつ、意としないリセットの防止を達成できるという利点を有する。
【発明を実施するための最良の形態】
【００１５】
本発明は、多くの部品点数の増加、大型部品の利用、利用上の大きな制限を解消し得る次のような簡易な構成で、意としないリセットの防止を実現した。
【００１６】
本発明の電力供給制御装置は、電源投入時に発生する電圧変動を電源回路から受け、電圧変動がリセット動作基準値に達しないように、周辺回路に対しての電力供給の制御を断続的に行いつつ、電源回路から発生する電圧を拠所として周辺回路に対しての電力供給を制御する電力供給制御手段と、電源回路から発生する電圧がリセット動作基準値に達する変動が生じた際にリセットを行うリセット手段とで構成する。
【００１７】
以下、図面を用いて詳細に説明する。
【実施例１】
【００１８】
実施例１として、まず、図１に示す本発明の電力供給制御装置を含む機器の回路図を用いて、本発明の電力供給制御装置の構成について説明する。機器の回路図は、大別すると、電源回路２と、電力供給制御装置１と、周辺回路ＬＯＡＤ１と、スイッチＳ１とから構成する。
【００１９】
電源回路２は、電池の正極＋に一方を接続する端子ＣＮ１−１と、電池の負極−に一方をかつグランドＧＮＤに他方を接続する端子ＣＮ１−２と、端子ＣＮ１−１の他方に一方をかつグランドＧＮＤに他方を接続するコンデンサＣ１と、端子ＣＮ１−１の他方にＶｉｎ部をかつグランドＧＮＤにＧＮＤ部をかつ電力供給制御装置１にＶｏｕｔ部を接続する定電圧レギュレータＩＣ１と、定電圧レギュレータＩＣ１のＶｏｕｔ部に一方をかつグランドＧＮＤに他方を接続するコンデンサＣ２とから成り、定電圧レギュレータＩＣ１のＶｏｕｔ部から定電圧を出力する。
【００２０】
電力供給制御装置１は、定電圧レギュレータＩＣ１のＶｏｕｔ部にＶｄｄ部をかつグランドＧＮＤにＧＮＤ部をかつマイクロコンピュータＩＣ２のＲＥＳＥＴ部にＲＥＳＥＴ部を接続するリセット回路ＩＣ３と、定電圧レギュレータＩＣ１のＶｏｕｔ部にＶｄｄポートをかつグランドＧＮＤにＧＮＤポートをかつリセット回路ＩＣ３のＲＥＳＥＴ部にＲＥＳＥＴポートをかつスイッチＳ１の一方にＳＷポートをかつ供給回路３の抵抗Ｒ２の一方にＰｅｒｉポートを接続するマイクロコンピュータＩＣ２と、定電圧レギュレータＩＣ１のＶｏｕｔ部にエミッタをかつ周辺回路ＬＯＡＤ１のＶｃｃ部にコレクタをかつ抵抗Ｒ２の他方にベースを接続するトランジスタＱ１、マイクロコンピュータＩＣ２のＰｅｒｉポートに一方をかつトランジスタＱ１のベースに他方を接続する抵抗Ｒ２、及びトランジスタＱ１のエミッタに一方をかつトランジスタＱ１のベースに他方を接続する抵抗Ｒ１を形成する供給回路３とから成る。なお、マイクロコンピュータＩＣ２と供給回路３とにより電力供給制御手段を、マイクロコンピュータＩＣ２とリセット回路ＩＣ３とによりリセット手段を構成する。
【００２１】
そして、電力供給制御装置１は、マイクロコンピュータＩＣ２のＰｅｒｉポートから電源投入時に断続的な切替制御信号を出力すると共に、トランジスタＱ１のコレクタから周辺回路ＬＯＡＤ１に対して電力供給を行う。
【００２２】
なお、マイクロコンピュータＩＣ２は、定電圧レギュレータＩＣ１のＶｏｕｔ部からの定電圧の変動を受けたリセット回路ＩＣ３がＲＥＳＥＴ部からリセット信号をマイクロコンピュータＩＣ２のＲＥＳＥＴポートに出力をするためのリセット動作基準値に達しないような時間間隔を内部に有する記憶手段に予め記憶し、内部に有する断続切替信号出力手段によりこの予め記憶する時間間隔に従って電源投入時に断続的な切替制御信号をＰｅｒｉポートから出力する。
【００２３】
スイッチＳ１は、電源回路２から周辺回路ＬＯＡＤ１に電力供給するための引金となる。周辺回路ＬＯＡＤ１は、機器において主に負荷となる部分である。
【００２４】
次に、図２に示す本発明の電力供給制御装置を含む機器のタイミングチャート図を用いて、本発明の電力供給制御装置の動作について説明する。なお、図２は、電源回路２のＶｏｕｔ部から出力する電圧の波形図（ａ）と、周辺回路ＬＯＡＤ１のＶｃｃ部に入力される電圧の波形図（ｂ）と、マイクロコンピュータＩＣ２のＰｅｒｉポートから出力する切替制御信号の波形図（ｃ）とを時間軸を対応させて示すものである。また、ＧＬラインは、電源回路２のＶｏｕｔ部から出力すべき電圧値を示し、ＲＬラインは、電力供給制御装置１がリセットを行うため（リセット回路ＩＣ３のＲＥＳＥＴ部からリセット信号が出力するため）のリセット動作基準値を示し、ＬＬラインは、周辺回路ＬＯＡＤ１が機能するための電圧値を示し、ＮＬラインは、周辺回路ＬＯＡＤ１が無電力供給状態の際の電圧値を示す。
【００２５】
まず、スイッチＳ１が閉じられることによってマイクロコンピュータＩＣ２のＳＷポートの信号レベルが変化する。
【００２６】
続いて、マイクロコンピュータＩＣ２は、この信号レベルの変化を引金に、電源回路２のＶｏｕｔ部から出力される電源投入時の定電圧の変化（図２（ａ）の波形）を受けたリセット回路ＩＣ３がリセット信号をマイクロコンピュータＩＣ２のＲＥＳＥＴポートに出力をするためのリセット動作基準値（図２（ａ）のＲＬライン）に達しないような時間間隔に従って、断続的な切替制御信号をＰｅｒｉポートから出力する（図２（ｃ）参照）。
【００２７】
続いて、トランジスタＱ１は、電源回路２のＶｏｕｔ部から出力される定電圧をエミッタに受け、Ｐｅｒｉポートから出力された断続的な切替制御信号を抵抗Ｒ２に介してベースに受け、コレクタから周辺回路ＬＯＡＤ１に対して出力する（図２（ｂ）の波形）。
【００２８】
上述したように、本実施例１においての電力供給制御装置１は、背景技術で述べた図５の回路図に示すような電力供給制御装置５１と比較すると、マイクロコンピュータＰｅｒｉポートから出力する切替制御信号の形態が異なるだけの簡易な構成であり、かつ、定電圧レギュレータＩＣ１から出力する定電圧に起こる電源投入時の変動がリセット動作基準値に達しないような時間間隔で断続的な切替制御信号をマイクロコンピュータＩＣ２のＰｅｒｉポートから出力するので、意としない（誤動作・暴走等の障害を回避のためでない）リセットの防止ができる。
【実施例２】
【００２９】
実施例２として、まず、図３に示す本発明の電力供給制御装置を含む機器の回路図を用いて、本発明の電力供給制御装置の構成について説明する。機器の回路図は、大別すると、電源回路２と、電力供給制御装置４と、周辺回路ＬＯＡＤ１と、スイッチＳ１とから構成する。
【００３０】
電源回路２、周辺回路ＬＯＡＤ１及びスイッチＳ１については、実施例１の構成と同様である。したがって、これらの構成についての詳述については省略する。
【００３１】
電力供給制御装置４は、定電圧レギュレータＩＣ１のＶｏｕｔ部にＶｄｄ部をかつグランドＧＮＤにＧＮＤ部をかつマイクロコンピュータＩＣ６のＲＥＳＥＴ部にＲＥＳＥＴ部を接続するリセット回路ＩＣ３と、定電圧レギュレータＩＣ１のＶｏｕｔ部にＶｄｄポートをかつグランドＧＮＤにＧＮＤポートをかつリセット回路ＩＣ３のＲＥＳＥＴ部にＲＥＳＥＴポートをかつスイッチＳ１の一方にＳＷポートをかつ論理（ＯＲ）回路ＩＣ５のＩ２部にＰｅｒｉポートを接続するマイクロコンピュータＩＣ６と、定電圧レギュレータＩＣ１のＶｏｕｔ部にＶｄｄ部をかつグランドＧＮＤにＧＮＤ部をかつ論理（ＯＲ）回路ＩＣ５のＩ１部にＶｄｅｔ部を接続する電圧変動検出回路ＩＣ４と、マイクロコンピュータＩＣ６のＰｅｒｉポートにＩ２部をかつ電圧変動検出回路ＩＣ４のＶｄｅｔ部にＩ１部をかつ供給回路３の抵抗Ｒ２の一方にＯ１部を接続する論理（ＯＲ）回路ＩＣ５と、定電圧レギュレータＩＣ１のＶｏｕｔ部にエミッタをかつ周辺回路ＬＯＡＤ１のＶｃｃ部にコレクタをかつ抵抗Ｒ２の他方にベースを接続するトランジスタＱ１、論理（ＯＲ）回路ＩＣ５のＯ１部に一方をかつトランジスタＱ１のベースに他方を接続する抵抗Ｒ２、及びトランジスタＱ１のエミッタに一方をかつトランジスタＱ１のベースに他方を接続する抵抗Ｒ１を形成する供給回路３とから成る。なお、マイクロコンピュータＩＣ６と供給回路３と電圧変動検出回路ＩＣ４と論理（ＯＲ）回路ＩＣ５とにより電力供給制御手段を、マイクロコンピュータＩＣ２とリセット回路ＩＣ３とによりリセット手段を構成する。
【００３２】
そして、電力供給制御装置４は、マイクロコンピュータＩＣ６のＰｅｒｉポートから電源投入時に出力される継続的な切替制御信号と、定電圧レギュレータＩＣ１のＶｏｕｔ部からの定電圧の変動に応じた切替制御信号とを受けた論理（ＯＲ）回路ＩＣ５のＯ１部から出力する切替制御信号に対応して、トランジスタＱ１のコレクタから周辺回路ＬＯＡＤ１に対して電力供給を行う。
【００３３】
なお、電圧変動検出回路ＩＣ４は、定電圧レギュレータＩＣ１のＶｏｕｔ部が出力する電圧の変動を検出したリセット回路ＩＣ３がＲＥＳＥＴ部からリセット信号をマイクロコンピュータＩＣ６のＲＥＳＥＴポートに出力するリセット動作基準値に達する前に、定電圧レギュレータＩＣ１のＶｏｕｔ部が出力する電圧の変動を検出してＶｄｅｔ部から切替制御信号を出力する様に出力変換基準値が設定されている。
【００３４】
次に、図４に示す本発明の電力供給制御装置を含む機器のタイミングチャート図を用いて、本発明の電力供給制御装置の動作について説明する。なお、図４は、電源回路２のＶｏｕｔ部から出力する電圧の波形図（ａ）と、周辺回路ＬＯＡＤ１のＶｃｃ部に入力される電圧の波形図（ｂ）と、論理（ＯＲ）回路のＯ１部から出力する切替制御信号の波形図（ｃ）と、論理（ＯＲ）回路のＩ１部に入力する波形図（ｄ）と、論理（ＯＲ）回路のＩ２部に入力する波形図（ｅ）とを時間軸を対応させて示すものである。また、ＧＬラインは、電源回路２のＶｏｕｔ部から出力すべき電圧値を示し、ＣＬラインは、電圧変動検出回路ＩＣ４のＶｄｅｔ部からの切替制御信号が切替るための出力変換基準値を示し、ＤＬラインは、解除電圧を示し、ＲＬラインは、電力供給制御装置１がリセットを行うため（リセット回路ＩＣ３のＲＥＳＥＴ部からリセット信号が出力するため）のリセット動作基準値を示し、ＬＬラインは、周辺回路ＬＯＡＤ１が機能するための電圧値を示し、ＮＬラインは、周辺回路ＬＯＡＤ１が無電力供給状態の際の電圧値を示す。
【００３５】
まず、スイッチＳ１が閉じられることによってマイクロコンピュータＩＣ６のＳＷポートの信号レベルが変化する。
【００３６】
続いて、マイクロコンピュータＩＣ６は、この信号レベルの変化を引金に、継続的な切替制御信号ＬレベルをＰｅｒｉポートから出力する（図４（ｅ）の波形）。換言すると、Ｐｅｒｉポートから出力する継続的な切替制御信号をＨレベルからＬレベルに切替える。
【００３７】
一方、電圧変動検出回路ＩＣ４は、電源回路２のＶｏｕｔ部から出力されてＶｄｄ部に入力される電圧が出力変換基準値を上回っている間、切替制御信号ＬレベルをＶｄｅｔ部から出力し、一旦Ｖｄｄ部に入力される電圧が出力変換基準値まで降下した場合、Ｖｄｄ部に入力される電圧が出力変換基準値より高い解除電圧まで上昇するまで切替制御信号ＨレベルをＶｄｅｔ部から出力する（図４（ｄ）の波形）。換言すると、電圧が出力変換基準値から解除電圧に上昇している間以外（図４（ａ）のｔ１、ｔ２、ｔ３）だけ、Ｖｄｅｔ部から出力する切替制御信号をＨレベルからＬレベルに切替える。Ｖｄｄ部に入力される電圧が解除電圧に上昇した後、出力変換基準値まで降下しない場合（図４（ａ）のｔ１以前とｔ３以降）は、切替制御信号ＬレベルをＶｄｅｔ部から出力する。
【００３８】
続いて、トランジスタＱ１は、電源回路２のＶｏｕｔ部から出力される定電圧をエミッタに受け、論理（ＯＲ）回路のＯ１部から出力された断続的な切替制御信号（図４（ｃ）の波形）をベースに受け、コレクタから周辺回路ＬＯＡＤ１に対して出力する（図４（ｂ）の波形）。
【００３９】
上述したように、本実施例２においての電力供給制御装置４は、背景技術で述べた図５の回路図に示すような電力供給制御装置５１と比較すると、電圧変動検出回路ＩＣ４と論理（ＯＲ）回路ＩＣ５を追加しただけの簡易な構成であり、かつ、定電圧レギュレータＩＣ１から出力する定電圧に生じる電源投入時の変動がリセット動作基準値に達しないような出力変換基準値を境に、切替制御信号を論理（ＯＲ）回路のＯ１部から切替えながら出力するので、意としない（誤動作・暴走等の障害を回避のためでない）リセットの防止ができる。
【産業上の利用可能性】
【００４０】
本発明の電力供給制御装置は、計測器等の多くの機器に適用できる。特に、周辺回路（負荷）の高い機器に対して有用に適用できる。
【図面の簡単な説明】
【００４１】
【図１】本発明の電力供給制御装置を含む機器の回路図である。（実施例１）
【図２】本発明の電力供給制御装置を含む機器のタイミングチャート図を示し、（ａ）は電源回路のＶｏｕｔ部から出力する電圧の波形図、（ｂ）は周辺回路のＶｃｃ部に入力される電圧の波形図、（ｃ）はマイクロコンピュータのＰｅｒｉポートから出力する切替制御信号の波形図である。（実施例１）
【図３】本発明の電力供給制御装置を含む機器の回路図である。（実施例２）
【図４】本発明の電力供給制御装置を含む機器のタイミングチャート図を示し、（ａ）は電源回路のＶｏｕｔ部から出力する電圧の波形図、（ｂ）は周辺回路のＶｃｃ部に入力される電圧の波形図、（ｃ）は論理（ＯＲ）回路のＯ１部から出力する切替制御信号の波形図、（ｄ）は論理（ＯＲ）回路のＩ１部に入力する波形図、（ｅ）は論理（ＯＲ）回路のＩ２部に入力する波形図である。（実施例２）
【図５】従来の電力供給制御装置を含む機器の回路図である。（背景技術）
【図６】従来の電力供給制御装置を含む機器のタイミングチャート図を示し、（ａ）は電源回路のＶｏｕｔ部から出力する電圧の波形図、（ｂ）は周辺回路のＶｃｃ部に入力される電圧の波形図、（ｃ）はマイクロコンピュータのＰｅｒｉポートから出力する切替制御信号の波形図である。（背景技術）
【符号の説明】
【００４２】
１、４、５１  電力供給制御装置
２  電源回路
３  供給回路
ＬＯＡＤ１  周辺回路
Ｓ１  スイッチ
ＩＣ１  定電圧レギュレータ
ＩＣ２、ＩＣ６  マイクロコンピュータ
ＩＣ３  リセット回路
ＩＣ４  電圧変動検出回路
ＩＣ５  論理（ＯＲ）回路
Ｒ１、Ｒ２  抵抗
Ｑ１  トランジスタ
Ｃ１、Ｃ２  コンデンサ
【図１】
2005086908.tif 000003
【図２】
2005086908.tif 000004
【図３】
2005086908.tif 000005
【図４】
2005086908.tif 000006
【図５】
2005086908.tif 000007
【図６】
2005086908.tif 000008